(57)【要約】    【課題】信号配線のインピーダンスが均一な配線基板を提供する。    【解決手段】  信号配線パターン１２の端子部２１ａ、２１ｂを、接地配線パターン１３の外周部３２の外側に置き、端子部２１ａ、２１ｂ裏面位置の状態を同じにする。更に、網部３１の端部と端子部２１ａ、２１ｂの間に、外周部３２の幅広の辺３２ａを配置し、網部３１の端部の影響を軽減させる。各端子部２１ａ、２１ｂのインピーダンスが等しくなるので、信号配線間の特性インピーダンスの差が小さくなる。【選択図】    図１
2006286738.tif 000002
【特許請求の範囲】
【請求項１】
基板の表面に配置された信号配線パターンと、
前記基板の反対側の面に配置された接地配線パターンとを有する配線基板であって、
前記接地配線パターンは、四角リング状の外周部と、該外周部の内側に位置し、周囲が前記外周部に接続された網状の網部とを有し、
前記信号配線パターンは、端子部と、前記端子部の幅よりも狭く、前記端子部に接続された配線部とを有する複数の信号配線を有し、
前記端子部は、前記外周部の外側に配置され、前記配線部の少なくとも一部は前記網部上に位置する配線基板。
【請求項２】
前記外周部は、前記網部を構成する接地配線よりも幅広の辺を有し、
前記端子部は、前記幅広の辺に沿って列設された請求項１記載の配線基板。
【請求項３】
前記配線部の前記網部上に位置する部分と前記端子部は、前記幅広の辺を跨いで接続された請求項２記載の配線基板。
【発明の詳細な説明】
【技術分野】
【０００１】
本発明は配線基板の技術分野にかかり、特に、高周波信号が用いられる配線基板に関する。
【背景技術】
【０００２】
図４の符号１１０は従来技術の配線基板を示している。
配線基板１１０は、異なる外部回路間を接続するフラットケーブル状のフレキシブル配線基板であり、ベースフィルム１１１と、該ベースフィルム１１１の片面に配置された信号配線パターン１１２と、反対側の面に配置された接地配線パターン１１３を有している。
【０００３】
信号配線パターン１１２と接地配線パターン１１３は、一乃至複数個の配線膜によってそれぞれ構成されている。各配線膜は、金属薄膜のパターニングによって形成されている。
【０００４】
信号配線パターン１１２は、外部回路との接続に用いられる端子部１２１ａ、１２１ｂを有しており、各端子部１２１ａ、１２１ｂは、ベースフィルム１１１の長手方向の両端に配置されている。
【０００５】
一方の端部に位置する端子部１２１ａと他方の端部に位置する端子部１２１ｂは、配線部１２０によって接続されている。
【０００６】
接地配線パターン１１３は、四角リング状の外周部１３２と、該外周部１３２の内側に位置し、周囲が外周部１３２に接続された格子状の網部１３１とで構成されている。
【０００７】
図５に示すように、外周部の無い接地配線パターン１１９の場合、その網部１４１のうちには、端部１４３がどこにも接続されていない接地配線が生じ、そのような配線膜は外来ノイズを拾うアンテナとなるおそれがあると言われている。
【０００８】
それに対し、上記図４に示されたような接地配線パターン１１３では、網部１３１の周囲が外周部１３２に接続されているため、アンテナとなるおそれのある部分は存在しない。
この場合、信号配線パターン１１２は外周部１３２の内側に配置され、網部１３１上に位置するようにされている。
【０００９】
接地配線パターン１１３は、不図示の端子部によって接地電位に接続されており、それにより、信号配線パターン１１２の特性インピーダンスは安定し、信号が安定に伝達されるようにされている。
【００１０】
しかしながら、上記構成の配線基板１１０において、信号配線パターン１１２を構成する配線膜の中には、他の配線膜との特性インピーダンスの相違が大きく、信号伝達の遅延時間の差が大きいものが存在するという問題が生じており、解決が望まれている。
【００１１】
接地配線パターン１１３の形状については、例えば下記先行技術で言及されている。
【特許文献１】特開平４−１２７５９８号公報
【発明の開示】
【発明が解決しようとする課題】
【００１２】
本発明は上記課題を解決するために創作されたものであり、その目的は、信号配線パターンを構成する各信号配線の特性インピーダンスが一致した配線基板を提供することにある。
【課題を解決するための手段】
【００１３】
上記課題を解決するため、本発明は、基板の表面に配置された信号配線パターンと、前記基板の反対側の面に配置された接地配線パターンとを有する配線基板であって、前記接地配線パターンは、四角リング状の外周部と、該外周部の内側に位置し、周囲が前記外周部に接続された網状の網部とを有し、前記信号配線パターンは、端子部と、前記端子部の幅よりも狭く、前記端子部に接続された配線部とを有する複数の信号配線を有し、前記端子部は、前記外周部の外側に配置され、前記信号配線の少なくとも一部は前記網部上に位置する配線基板である。
また、本発明は、前記外周部は、前記網部を構成する接地配線よりも幅広の辺を有し、前記端子部は、前記幅広の辺に沿って列設された配線基板である。
また、本発明は、前記配線部の前記網部上に位置する部分と前記端子部は、前記幅広の辺を跨いで接続された配線基板である。
【００１４】
本発明は上記のように構成されており、従来技術では、各端子部裏面に網部が位置しており、各端子部の裏面の接地配線パターンの面積は一定でなく、端子部毎に裏面状態が異なっていた。
【００１５】
それに対し、本発明では各端子部の裏面には接地配線パターンが存在せず、各端子部の裏面位置の状態が同じにされている。各端子部の裏面に、端子部よりも大面積な接地配線を配置した場合も容量成分の大きさは等しくなるが、容量成分が大きすぎ、高周波信号の伝達遅延時間が長くなりすぎて採用できない。本発明では、容量成分が小さく、高周波信号の伝達に悪影響を与えない。
【００１６】
そして各端子部は、網部の周辺部分と近接している。網部のうちの、各端子部に近い周辺部分の形状は端子部の位置によって異なるが、網部と端子部の間に幅広の辺が配置されており、各端子部の容量成分の大きさは、端子部と幅広の辺の間の容量成分が支配的になるように構成されている。従って、各端子部の特性インピーダンスは同じになるから、各信号配線の特性インピーダンスの差が小さくなる。
【発明の効果】
【００１７】
各信号配線の特性インピーダンスがほぼ等しくなるので、高周波信号の遅延時間や消費電力の差が小さくなる。
【発明を実施するための最良の形態】
【００１８】
図１の符号１０は本発明の一例の配線基板を示している。
この配線基板１０は、ベースフィルム１１と、信号配線パターン１２と、接地配線パターン１３を有している。信号配線パターン１２や接地配線パターン１３の表面には保護膜(カバーレイ)が配置されているが、図示は省略する。後述する端子部表面には保護膜は設けられていない。なお、保護膜が配置されていない配線基板も本発明に含まれる。
【００１９】
また、接地配線パターン１３を外部回路に接続するパッドも省略した。接地配線パターン１３は外部回路に接続されず、直流的には浮遊電位に置かれているが、交流的には接地電位に接続されているものも含まれる。
【００２０】
信号配線パターン１２はベースフィルム１１の表面上に配置され、接地配線パターン１３は、信号配線パターン１２が配置された面とは反対側の面に配置されている。
信号配線パターン１２と接地配線パターン１３は、一乃至複数個の配線によって構成されている。
【００２１】
図３(ａ)は、図１のＡ−Ａ線切断面図である。同図(ｂ)は、信号配線パターン１２を構成する信号配線１５の代表例の平面図である。
該信号配線１５は、外部回路との接続に用いられる幅広の端子部２１ａ、２１ｂと、端子部２１ａ、２１ｂの幅よりも細い配線部２０とを有している。
【００２２】
この例では、配線基板１０はフラットケーブルに用いられるフレキシブル配線基板であり、ベースフィルム１１は細長に形成され、ベースフィルム１１の長手方向の両端に、一乃至複数個の端子部２１ａ、２１ｂがそれぞれ配置されている。
【００２３】
一方の端部に配置された端子部２１ａと他方の端部に配置された端子部２１ｂとは、配線部２０によって接続されている。
【００２４】
各信号配線１５の配線部２０同士が成す角度について説明する。
ベースフィルム１１の表面上に基準となる方向を定め、その方向の傾きゼロ度としたときに、信号配線１５の配線部２０を構成する直線部分(及びその延長線)は、基準となる方向に対して所定角度θ(ｎ)で交差するようにされている(ｎは整数)。例えば、θ(ｎ)＝１５×ｎ度(ｎ＝０〜６)とした場合は、基準方向に対する交差角度のうちの鋭角の方は、０°、１５°、３０°、４５°、……９０°のいずれかの角度で交差する。この場合の基準方向との交差角度は１５°刻みである(０°の場合は基準方向と平行であるが、ここでは交差に含める)。同じ信号配線１５の直線部分同士、又は異なる信号配線１５の直線部分の延長線同士も、その交差角度の鋭角は、θ(ｎ)のいずれかの値をとる。
【００２５】
いずれかの信号配線１５の一部の方向を基準方向とした場合、交差角度の値θ(ｎ)にゼロ度も含まれ、その場合は交差角度θ(ｎ)に９０°も含まれるようにθx×ｎのθxが含まれるように設定するのが通例である。
【００２６】
次に、接地配線パターン１３について説明すると、図２(ａ)は接地配線パターン１３の平面図であり、該接地配線パターン１３は、四角リング状の外周部３２と、外周部３２が取り囲む領域内に位置する網部３１とで構成されている。
【００２７】
同図(ｂ)は網部３１の平面図であり、該網部３１は、互いに平行で等間隔に配置された第一の接地配線３１ａと、第一の接地配線３１ａとは交差し、互いに平行で等間隔に配置された第二の接地配線３２ｂとを有している。第一、第二の接地配線３１ａ、３１ｂの交差角のうち、小さい方の交差角φは、φ＜９０°であり、正方形や長方形が形成されないようになっている。
【００２８】
信号配線１５の配線部２０が、近接する第一又は第二の接地配線３１ａ、３１ｂに対して平行であると、信号配線１５のその部分の容量成分が大きくなり、他の信号配線１５との特性インピーダンスが大きく相違してしまう。
【００２９】
この配線基板１０では、信号配線１５の基準方向に対する第一、第二の接地配線３１ａ、３１ｂが成す角度を設定する際に、全ての信号配線１５の配線部２０が、第一、第二の接地配線３１ａ、３１ｂに対して平行にならないようにされている。
【００３０】
そして、本発明の配線基板１０では、各信号配線１５の端子部２１ａ、２１ｂが外周部３２の外部に配置されている。より正確に説明すると、端子部２１ａ、２１ｂの形状を、ベースフィルム１１の接地配線パターン１３が配置された表面に対して垂直に投影した場合に、投影形状が外周部３２の外側に位置するように配置されている。
【００３１】
他方、配線部２０は、その大部分が外周部３２の内側に配置され、網部３１上に位置するように構成されている。配線部２０の端部は外周部３２を跨ぎ、接続部２１ａ、２１ｂに接続されている。
各端子部２１ａ、２１ｂは、外周部３２の縁に沿って列設されている。
【００３２】
外周部３２の四辺のうち、端子部２１ａ、２１ｂが列設された二個の辺３２ａは互いに平行であり、その幅Ｗａは、網部３１を構成する第一、第二の接地配線３１ａ、３１ｂの幅Ｗｃよりも大きくされている。
【００３３】
また、端子部２１ａ、２１ｂが列設された二個の辺３２ａの幅Ｗａは、他の二辺３２ｂの幅Ｗｂよりも大きくされている。
各端子部２１ａ、２１ｂは、この幅広の辺３２ａに沿って配置されているため、配線部２０は、この幅広の辺３２ａを跨いで端子部２１ａ、２１ｂに接続されている。
【００３４】
端子部２１ａ、２１ｂが外周部３２の外側に配置されたことにより、全ての端子部２１ａ、２１ｂの裏面位置に接地配線パターン１３が存在せず、各端子部２１ａ、２１ｂと、それらのベースフィルム１１の真裏位置との関係は、全ての端子部２１ａ、２１ｂについて等しくなっている。
【００３５】
各端子部２１ａ、２１ｂに近接する網部３１のパターンは異なっているが、網部３１と端子部２１ａ、２１ｂの真裏位置との間には、第一、第二の接地配線３１ａ、３１ｂよりも幅広の辺３２ａが配置されている。
【００３６】
これにより、各端子部２１ａ、２１ｂに対する網部３１の端部の影響が低減され、また、各端子部２１ａ、２１ｂの特性インピーダンスは各端子部２１ａ、２１ｂと幅広の辺３２ａとの間の容量成分が支配的になるから、同じ幅広の辺３２ａに沿って配置された端子部２１ａ、又は２１ｂ間の特性インピーダンスは等しくなり、その結果、各信号配線１５同士の特性インピーダンスの相違は小さくなる。
【００３７】
なお、上記実施例では、ベースフィルム１１の片面にだけ信号配線パターン１２が配置されていたが、信号配線パターンが片面又は両面に配置されたベースフィルムを複数層積層させた積層型の配線基板も本発明の配線基板に含まれる。
【００３８】
上述の信号配線パターン１２や接地配線パターン１３は銅薄膜や銅箔などの金属薄膜のパターニングによって形成されている。
【００３９】
ベースフィルム１１は、ポリイミドフィルム等の可撓性を有する樹脂フィルムであり、金属薄膜やベースフィルム１１の厚みは数十μ〜数十μｍである。
【００４０】
ベースフィルム１１や金属薄膜がこの程度の厚みである場合、配線基板１０の全体が可撓性を有しており、信号配線パターン１２や接地配線パターン１３の上にカバーフィルムを設けた場合も、カバーフィルムに可撓性を有する樹脂を用いれば、カバーフィルムを有する配線基板１０も可撓性を有するようになる。
【図面の簡単な説明】
【００４１】
【図１】本発明の配線基板を説明するための平面図
【図２】(ａ)：その接地配線パターン  (ｂ)：第一、第二の接地配線
【図３】(ａ)：本発明の配線基板の断面図  (ｂ)：信号配線を説明するための平面図
【図４】従来技術の配線基板
【図５】外周部の無い接地配線パターンの例
【符号の説明】
【００４２】
１０……配線基板
１１……基板(ベースフィルム)
１２……信号配線パターン
１３……接地配線パターン
２１ａ、２１ｂ……端子部
３１……網部
３１ａ……第一の接地配線
３１ｂ……第二の接地配線
３２……外周部
Ｗａ……外周部の幅広の辺の幅
Ｗｂ……外周部の幅狭の辺の幅
Ｗｃ……第一、第二の接地配線の幅
【図１】
2006286738.tif 000003
【図２】
2006286738.tif 000004
【図３】
2006286738.tif 000005
【図４】
2006286738.tif 000006
【図５】
2006286738.tif 000007